(57)【要約】【課題】パーソナルコンピュータや移動体通信端末などの情報処理端末などに対して、カラオケルームなどの映像データを配信するカラオケシステムを提供する。【解決手段】本発明のカラオケシステムは、ホストサーバ１００と、ホストサーバ１００と通信網を介して通信を行うと共にカラオケ楽曲の演奏を行うコマンダ３００と、コマンダ３００に接続されカラオケ楽曲の演奏に伴う映像を表示するディスプレイ４５０と、このディスプレイ４５０近傍に設置され周辺映像を撮像するカメラ４６０と、前記カメラ４６０で撮像された映像データを前記ホストサーバ１００にアップロードし前記ホストサーバ１００から前記映像データの配信を許可するか否かの設定を行うリモコン端末２００と、からなるカラオケシステムであって、前記ホストサーバ１００は、通信網に接続されアクセスを許可した情報処理端末（５００，６００）に対して、配信許可が設定された前記映像データを配信することを特徴とする。【選択図】図１
2010060627.tif 000002
【特許請求の範囲】
【請求項１】
ホストサーバと、
前記ホストサーバと通信網を介して通信を行うと共にカラオケ楽曲の演奏を行う演奏装置と、
前記演奏装置に接続されカラオケ楽曲の演奏に伴う映像を表示する表示装置と、
前記表示装置近傍に設置され周辺映像を撮像する撮像装置と、
前記撮像装置で撮像された映像データを前記ホストサーバにアップロードし前記ホストサーバから前記映像データの配信を許可するか否かの設定を行う端末装置と、からなるカラオケシステムであって、
前記ホストサーバは、通信網に接続されアクセスを許可した情報処理端末に対して、配信許可が設定された前記映像データを配信することを特徴とするカラオケシステム。
【請求項２】
前記情報処理端末から所定データを前記演奏装置に送信することを特徴とする請求項１に記載のカラオケシステム。
【請求項３】
前記所定データがテキストデータであることを特徴とする請求項２に記載のカラオケシステム。
【請求項４】
前記所定データが前記演奏装置で効果音を再生させるコマンドであることを特徴とする請求項２又は請求項３に記載のカラオケシステム。
【請求項５】
前記所定データが前記表示装置で効果映像を表示させるコマンドであることを特徴とする請求項２又は請求項３に記載のカラオケシステム。
【発明の詳細な説明】
【技術分野】
【０００１】
本発明は、インターネットなどの通信網に接続されて用いられるカラオケシステムに関する。
【背景技術】
【０００２】
近年、カラオケシステムがインターネットなどの通信網に接続され用いられるようになったことに伴い、遠隔地に存在するカラオケルーム同士を通信接続することで、より遊興的なサービスを提供しようとする提案がいくつかなされている。
【０００３】
例えば、特許文献１（特開２００５−９９６５０号公報）には、遠隔地のカラオケルーム同士間を相互通信させることで、エンターテイメント性を向上させることが開示されている。
【特許文献１】特開２００５−９９６５０号公報
【発明の開示】
【発明が解決しようとする課題】
【０００４】
特許文献１に記載されているような従来のものにおいては、カラオケルーム同士を通信させるものであったので、双方の通信端において所定のカラオケ設備を必要とするものであった。これに対して、一方の通信端ではカラオケ設備などを要することなく、他方の通信端におけるカラオケルームの場の雰囲気を味わい、なおかつ、適宜カラオケルームの場の雰囲気にとけ込みたい、というニーズがある。しかしながら、従来のものは上記のようなニーズを満たすことができない、という問題があった。
【課題を解決するための手段】
【０００５】
本発明は上記のような課題を解決するものであって、本発明の請求項１に係る発明は、ホストサーバと、前記ホストサーバと通信網を介して通信を行うと共にカラオケ楽曲の演奏を行う演奏装置と、前記演奏装置に接続されカラオケ楽曲の演奏に伴う映像を表示する表示装置と、前記表示装置近傍に設置され周辺映像を撮像する撮像装置と、前記撮像装置で撮像された映像データを前記ホストサーバにアップロードし前記ホストサーバから前記映像データの配信を許可するか否かの設定を行う端末装置と、からなるカラオケシステムであって、前記ホストサーバは、通信網に接続されアクセスを許可した情報処理端末に対して、配信許可が設定された前記映像データを配信することを特徴とする。
【０００６】
また、請求項２に係る発明は、請求項１に記載のカラオケシステムにおいて、前記情報処理端末から所定データを前記演奏装置に送信することを特徴とする。
【０００７】
また、請求項３に係る発明は、請求項２に記載のカラオケシステムにおいて、前記所定データがテキストデータであることを特徴とする。
【０００８】
また、請求項４に係る発明は、請求項２又は請求項３に記載のカラオケシステムにおいて、前記所定データが前記演奏装置で効果音を再生させるコマンドであることを特徴とする。
【０００９】
また、請求項５に係る発明は、請求項２又は請求項３に記載のカラオケシステムにおいて、前記所定データが前記表示装置で効果映像を表示させるコマンドであることを特徴とする。
【発明の効果】
【００１０】
本発明のカラオケシステムによれば、パーソナルコンピュータや移動体通信端末などの情報処理端末などに対して、カラオケルームなどの映像データを配信することが可能となるので、遠隔地にいながらにしてカラオケルームの雰囲気を味わうことができる。
【００１１】
また、本発明のカラオケシステムによれば、情報処理端末から所定のデータを演奏装置に送信する構成であるので、遠隔地にいながらにして適宜カラオケルームの場に参加しているような感覚を味わうことが可能となる。
【発明を実施するための最良の形態】
【００１２】
以下、本発明の実施の形態を図面を参照しつつ説明する。図１は本発明の実施の形態に係るカラオケシステムの全体構成を示す図であり、図２は本発明の実施の形態に係るカラオケシステムの運用形態イメージを示す図である。
【００１３】
図１及び図２において、５０は通信網、５１は基地局、６０はルータ、７０は無線ＬＡＮアクセスポイント、１００はホストサーバ、２００、２００'、２００''、２００'''、２００''''はリモコン端末、３００、３００'、３００''、３００'''はコマンダ、４００はアンプ、４０１はスピーカー、４０２はマイクロフォン、４５０はディスプレイ、５００はパーソナルコンピュータ端末、６００は移動体通信端末をそれぞれ示している。
【００１４】
本発明のカラオケシステムは、インターネットなどの通信網５０を利用したものである。このようなカラオケシステムは、ホストサーバ１００と、カラオケ店舗等の各カラオケルームに設置されるコマンダ３００及びコマンダ３００に対応付けして設けられているリモコン端末２００とが、インターネットなどの通信網５０を介して通信可能に構成されることによって形成されている。なお、このコマンダは特許請求の範囲においては、「演奏装置」として表現されているものである。
【００１５】
詳細については示さないが、カラオケ店舗２やカラオケ店舗３の下にもそれぞれカラオケルームが設けられており、カラオケ店舗１と類似の構成が設けられているものとする。そして、ホストサーバ１００は、各カラオケ店舗に設けられたコマンダなどと通信網５０を介した通信を行い得るように構成されている。以降、カラオケ店舗１を例にとり、コマンダやリモコン端末の構成、動作について説明する。
【００１６】
コマンダ３００、３００'、３００''、３００'''は、カラオケ店舗などの各カラオケルーム（ルーム１、ルーム２、ルーム３、ルーム４・・・）のそれぞれに１台ずつ設置されることが想定されるものである。また、コマンダ３００、３００'、３００''、３００'''に対応する形で、各カラオケルームには、リモコン端末が設置されている。通常、コマンダ３００、３００'、３００''には、それぞれ１台ずつのリモコン端末２００、２００'、２００''が対応付けされているが、ルーム４におけるコマンダ３００'''のように、リモ
コン端末２００'''、２００''''が複数台対応付けされるように設定することも可能であ
る。
【００１７】
ホストサーバ１００側のルータ（不図示）とカラオケ店舗１側のルータ６０との間でインターネットネットワーク上に形成されるＶＰＮ（ｖｉｒｔｕａｌ  ｐｒｉｖａｔｅ  ｎｅｔｗｏｒｋ）を介して、カラオケ店舗１側のＬＡＮに接続されている。ルータ６０には、図示するように、コマンダ３００、３００'、３００''、３００'''が接続される。また、ルータ６０には、無線ＬＡＮアクセスポイント７０が接続されており、この無線ＬＡＮアクセスポイント７０とリモコン端末２００、２００'、２００''、２００'''、２００''''が無線ＬＡＮによって通信するようになっている。つまり、ホストサーバ１００と、コマンダ３００及びリモコン端末２００との間の通信は、通信網５０上のＶＰＮ及びカラオ
ケ店舗の有線ＬＡＮ、無線ＬＡＮを介して行われることとなる。なお、それぞれのリモコン端末２００にはそれぞれ固有のＩＤが付されており、ホストサーバ１００に対してアクセスを行うときなどに自らのＩＤをサーバ側に報知する。
【００１８】
コマンダ３００は、リモコン端末２００からの要求に応じて、有線ＬＡＮ、無線ＬＡＮを介して制御され得るようになっている。例えば、ユーザは、リモコン端末２００から歌いたい曲を要求すると、当該要求はＬＡＮ経由でコマンダ３００に送られ、コマンダ３００がカラオケ楽曲をスタートさせるようになっている。
【００１９】
カラオケシステムのホストサーバ１００は、各カラオケ店舗などに設置されているコマンダ３００に対して楽曲データ、映像データやユーザへ提供するためのコンテンツデータ等を配信する。すなわち、ホストサーバ１００は、基本的なカラオケサービス用のホストサーバとして機能する。なお、ホストサーバ１００の構成においては、従来周知の技術を用いることができる。
【００２０】
また、本実施形態に用いられるホストサーバ１００は、それぞれのカラオケルームのコマンダ経由で送信されてくる映像データ、音声データのアップロード機能を有しており、なおかつ、これらアップロードされた映像データ、音声データを、アクセス許可された情報処理端末（パーソナルコンピュータ端末５００、移動体通信端末６００など）に対して配信する配信機能を有している。
【００２１】
また、ホストサーバ１００は、リモコン端末２００を介して、ＩＤ、パスワード、ＩＤに対応したニックネームなどを登録することによって、自らのアカウントを取得したユーザに対する種々のサービスを提供する機能を有している。ここで、アカウントとは、本発明のカラオケシステムが提供するサービスを利用するために付与された、特定対象者に限定された権利のことである。
【００２２】
このアカウントを取得したユーザ（以下、「アカウントユーザ」という）に対して、ホストサーバ１００は、アカウントユーザがこれまで歌ってきた曲の履歴を保持しておいたり、アカウントユーザが得意とする曲のリストを保持しておいたり、アカウントユーザがこれから歌いたいとして登録した曲のリストを保持しておいたり、アカウントユーザ間などの電子メールの送受信を行ったり、といったサービスを提供する。なお、このようなアカウントサービスの構築には従来周知の技術を用いることができる。
【００２３】
本発明のカラオケシステムにおけるアカウントは、限定的な利用権とするために、特定の対象者を識別する必要があるが、本システムでは、パスワード又は指紋認証による方法が採用されている。しかしながら、アカウントの限定利用のための識別方法としては、このような方法によらず、他のバイオメトリック的手法を用いても構わない。
【００２４】
パーソナルコンピュータ端末５００や移動体通信端末６００は、所定のログインプロトコルを経て、ホストサーバ１００からのアクセスが許可された情報処理端末を示している。パーソナルコンピュータ端末５００は、ＵＲＬを指定することによって当該ＵＲＬで提供される情報を、閲覧可能なブラウザを搭載するものである。また、移動体通信端末６００には、基地局５１を介してインターネットなどの通信網５０に接続可能で、ブラウザなどによって指定ＵＲＬが提供する情報を閲覧可能な周知のものを用いる。また、情報処理端末からホストサーバ１００へのログインなどに係る技術は従来周知の技術を用いる。また、ブラウザなども周知のものを用いることができる。
【００２５】
本実施形態においては、情報処理端末としてパーソナルコンピュータ端末５００や移動体通信端末６００を例示したが、本発明でいう情報処理端末には、ＰＤＡやＰＨＳなども
含まれるものである。
【００２６】
次に、本発明のカラオケシステムにおけるコマンダ３００についてより詳しく説明する。図３は本発明の実施の形態に係るカラオケシステムで用いられるコマンダ及びその周辺のブロック構成を示す図である。図３において、３０１はバス、３０２は中央演算部、３０３は記憶部、３０４は第４通信部、３０５は第３通信部、３０６は入力部、３０７は表示制御部・画像合成部、３１０は音源部、３１１は入力制御部、３３０はミキサ部、３４０は効果音・効果映像ＤＢ、４００はアンプ、４０１はスピーカー、４０２はマイクロフォン、４５０はディスプレイ、４６０はカメラをそれぞれ示している。
【００２７】
カラオケルームなどの空間に配されるコマンダ３００には、ＣＲＴやＴＦＴ等の映像表示装置であるディスプレイ４５０、音声増幅装置であるアンプ４００が接続されており、コマンダ３００からの制御出力によりディスプレイ４５０に歌詞映像と背景画像を表示し、歌詞映像の表示と同期させてカラオケ楽曲の再生信号をアンプ４００へ送出し、スピーカー４０１から演奏音が得られるようにしている。そして、前記アンプ４００には、ミキサ部３３０を介してマイクロフォン４０２が接続されており、周知のようにカラオケシステムのユーザは、歌詞映像に合わせてこのマイクロフォン４０２から自身の発声を入力し、歌唱することになる。
【００２８】
図３は、このように構成されたコマンダ３００とその周辺の具体的構成を示すブロック図であり、バス３０１に接続された中央演算部３０２（ＣＰＵ）がコマンダシステム全体の制御を司る。
【００２９】
記憶部３０３には、ＲＯＭ、ＲＡＭ、ＨＤＤが用いられ、ＲＯＭには制御プログラムなどが格納され、ＲＡＭには制御処理の内容などの一時記憶が可能となるようにしている。ＨＤＤには、ホストサーバ１００から受信した楽曲データ、映像データやカラオケ演奏以外の機能を実行させるデータであるデータを一時記憶させる。
【００３０】
第４通信部３０４は、例えば赤外線通信が用いられ、リモコン端末２００から送られてくる赤外線コード信号を受信し、コマンドデータに復元してバス３０１へ転送する。リモコン端末２００からコマンダ３００に対する指令信号は、カラオケ店舗内のＬＡＮ経由にても送信することができるが、「演奏スタート」や「唄い直し」などの比較的単純な指令信号は、この赤外線通信による通信部を利用することができる。
【００３１】
第３通信部３０５は、周知の規格の有線ＬＡＮが用いられ、ホストサーバ１００からコマンダ３００に対する制御命令や、楽曲データ、映像データやファームウエアデータなどをホストサーバ１００からダウンロードするために利用される。また、第３通信部３０５は、コマンダ３００を、ＬＡＮを介して他のコマンダやその他の機器に接続するための接続器でもあり、コマンダ３００はそのようにＬＡＮ２４を介して接続されることで、他のコマンダや他の機器との間で情報の送受信が可能とされる。また、第３通信部３０５は、コマンダ３００を介して収集された音声データ、映像データ―すなわち、カラオケルームの現在の様子を示すデータ―をホストサーバ１００にアップロードするために利用される。
【００３２】
入力部３０６は、コマンダ３００のフロントパネルに設けられた各種スイッチ機能であり、予約選曲、キーコントロール、歌唱プログラムなどカラオケ装置特有の機能をマニュアル設定が可能となるようにしている。表示制御部・画像合成部３０７は、カラオケ楽曲に伴う映像や、その他、コンテンツデータ、広告データなどの映像データをディスプレイ４５０により表示するための表示制御を行う。また、表示制御部・画像合成部３０７は、カラオケ楽曲に伴い表示される映像データと、効果音・効果映像ＤＢ３４０からの映像デ
ータとを合成する機能を有している。
【００３３】
音源部３１０は、ＭＩＤＩ（Ｍｕｓｉｃａｌ  Ｉｎｓｔｒｕｍｅｎｔ  Ｄｉｇｉｔａｌ
Ｉｎｔｅｒｆａｃｅ）規格に基づく楽曲データから演奏可能な楽音信号を形成する。
【００３４】
ミキサ部３３０は、音源部３１０が発声した複数の楽音信号とマイクロフォン４０２から入力される歌唱者の歌唱音声信号を適当なバランスでミキシングする。このミキサ部３３０でミキシングされた信号は、アンプ４００に出力される。また、ミキサ部３３０でミキシングされた音声データは、必要に応じて、カラオケルームの現在の様子を示す音声データとして、ホストサーバ１００側にアップロードされる。また、ミキサ部３３０は、効果音・効果映像ＤＢ３４０からの効果音に係る音声データとをミキシングする機能を有している。
【００３５】
カメラ４６０は、例えば、ディスプレイ４５０などの上部に取り付けられ、カラオケルーム内の動画像などの映像データを取得する撮像装置であり、取得された映像データは入力制御部３１１を介し、必要に応じて第３通信部３０５からホストサーバ１００側にアップロードされるようになっている。
【００３６】
効果音・効果映像ＤＢ３４０は、コマンダで再生する効果音のデータや、表示装置で表示する効果映像のデータを保持するデータベースである。図５は本発明の実施の形態に係るカラオケシステムの効果音・効果映像ＤＢ３４０におけるデータ構造例を示す図である。図５に示すように、データ構造としては、効果音コードに対応した効果音データ（例えば、拍手喝采の音を収録した音声データなど）が格納され、効果映像コードに対応した効果映像データ）が格納されるようになっている。これらのコードの指定に伴い、効果音データや効果映像データを、効果音・効果映像ＤＢ３４０から呼び出すことができるようになっている。なお、効果映像データとしては、静止画像データ、動画像データのいずれも用いることが可能である。
【００３７】
中央演算部３２０は、効果音を再生するコマンドと効果音コードを受信すると、当該効果音コードに対応する効果音データを、ミキサ部３３０でミキシングさせる。また、中央演算部３２０は、効果映像を表示するコマンドと効果映像コードを受信すると、当該効果映像コードに対応する効果映像データを、表示制御部・画像合成部３０７で合成させる。
【００３８】
なお、本実施形態においては、効果音データを効果音・効果映像ＤＢ３４０に収録するように構成したが、音源部３１０にこれを収録するように構成することも可能である。
【００３９】
次に、本発明のカラオケシステムにおけるリモコン端末２００についてより詳しく説明する。図４は本発明の実施の形態に係るカラオケシステムで用いられるリモコン端末のブロック構成を示す図である。図４において、２０１はバス、２０２は中央演算部、２０３は記憶部、２０４はタッチパネル部、２０５は表示部、２０６は第１通信部、２０７は第２通信部、２０８は生体認証部をそれぞれ示している。
【００４０】
リモコン端末２００は、バス２０１に接続された中央演算部２０２（ＣＰＵ）がリモコン端末全体の制御を司る。
【００４１】
記憶部２０３には、ＲＯＭ、ＲＡＭ、不揮発性メモリが用いられ、ＲＯＭには制御プログラムなどが格納され、ＲＡＭには制御処理の内容などの一時記憶が可能となるようにしている。
【００４２】
タッチパネル部２０４は、ユーザの指や図示しない備え付けのペン等による入力を行う
ものである。タッチパネル部２０４による入力を可能とするために、表示部２０５にはタッチパネル部２０４と連動した表示画像が表示されるようにプログラムされる。なお、本実施形態では、入力インターフェイス装置としてこのようなタッチパネル部２０４を用いる例について説明しているが、本発明はこれに限定されるものではない。
【００４３】
第１通信部２０６は、無線ＬＡＮアクセスポイント７０との間で無線ＬＡＮ規格（例えば、ＩＥＥＥ８０２．１１ａ／ｂ／ｇ規格など）に従った無線通信を行うための無線ＬＡＮ信部である。
【００４４】
第２通信部２０７は、例えば赤外線通信が用いられ、コマンダ３００における第４通信部３０４との通信を行うものであり、所定の赤外線コード信号をコマンダ３００に送出することが可能とされている。
【００４５】
生体認証部２０８は、ユーザの指紋を読み取り、生体識別コードに変換するものであり、これによりアカウントを有するユーザを識別するものである。
【００４６】
ところで、ユーザによってはアカウントへのログインのための認証方法として、指紋認証を好まないというような場合がある。そこで、本実施形態におけるカラオケシステムでは、生体認証部２０８の指紋による認証か、パスワードを使っての認証かをユーザが選択できるようになっている。
【００４７】
次に、以上のように構成される本発明のカラオケシステムが提供する遠隔参加に係るサービスについて説明する。図６は本発明の実施の形態に係るカラオケシステムが提供する遠隔参加処理の流れの一例を示す図である。なお、図６に示す流れは、あくまで本発明のカラオケシステムが提供する遠隔参加処理の一例であることに留意されたい。
【００４８】
例えば、所定のカラオケルームにおいて、カラオケを行う際には、ユーザは先のアカウントサービスの提供を受けるためにホストサーバ１００にログインする。ステップＳ１００がそのログインを行うステップを示している。
【００４９】
図７はリモコン端末２００におけるログイン前のユーザインターフェイス画面例である。ここで、ユーザは生体認証部２０８による指紋認証か、或いはパスワード入力による認証かを行うことによって、自分のアカウントにログインする。
【００５０】
ログイン直後の画面が図８に示すものであり、ここでユーザは、カラオケルームの様子を通信網５０を介して、公開するか否かを選択する。ユーザが公開する、を選択した場合には、コマンダで収集されたカラオケルーム内の映像データ、音声データは、ホストサーバ１００側にアップロードされる。また、ユーザが公開しない、を選択するこれら映像データ、音声データは、ホストサーバ１００側に送信されないようになっている。
【００５１】
図９は、ニックネーム「かとう  たろう」さんが自らのアカウントに、図８の画面を経てログイン完了したときの様子を示している。なお、アカウントに対する「ログイン」や「ログアウト」の概念は通常広く用いられているものと同様のものを用いることができる。
【００５２】
なお、本実施形態に係るカラオケシステムで用いられるリモコン端末２００のユーザインターフェイス画面では、右側のカラムを中心として、アカウントに関わるメニュー表示がなされる。本ユーザインターフェイス画面例では、アカウントサービスの下では「マイメニュー」、「あなたへのオススメ」、「マイリスト」、「マイりれき」、「ログアウト」のいずれかを選択することができるようになっている。例えば、アカウントが提供する
電子メールサービスに関連するサービスの選択は「マイメニュー」の下に存在するようになっている。
【００５３】
さて、図６の遠隔参加処理のフローに戻る。以降、上記のようなログインにおいて、ユーザが公開する、を選択したものとして説明を進める。
【００５４】
ステップＳ１０２では、ユーザの公開する、の選択に伴い、ホストサーバ１００がコマンダ３００に対して、撮影開始コマンドを発出する。これを受けたコマンダ３００はカメラ４６０を作動して、カラオケルーム内の映像データを取得する。また、コマンダ３００で再生されたカラオケ演奏、これに伴う歌唱は、音声データとして取得される。これらの映像データ及び音声データは、ステップＳ１０３以降継続的に、コマンダ３００側からホストサーバ１００側に送信される。なお、リモコン端末でユーザがアカウントからログアウトすることによって、映像データ及び音声データのホストサーバ１００側へのアップロードは中止される。
【００５５】
次に、情報処理端末としてパーソナルコンピュータ５００が用いられ、ホストサーバ１００にログインする場合を例にとり、以下説明する。このようなパーソナルコンピュータ５００には、あらかじめ本発明の遠隔参加処理を行い得るプログラムがインストールされ、動作するものとして説明を進める。
【００５６】
ステップＳ１０４では、パーソナルコンピュータ５００からはホストサーバ１００にログインしている。このログイン時におけるパーソナルコンピュータ５００の表示画面例が図１０に示すものである。図に示すように、ユーザはログインＩＤとパスワードを入力することによってログインするが、このような認証を経て、登録済みの正規ユーザであることが確認される。ホストサーバ１００は、正規にログインされたパーソナルコンピュータ５００からのアクセスを許可する。なお、上記のようなログインＩＤとパスワードは、カラオケシステムのアカウントサービスに用いるものと共用することなども可能である。
【００５７】
図１０に示すようなログインが完了すると、パーソナルコンピュータ５００側においては、例えば図１１に示すようなユーザインターフェイス画面が表示され、当該画面から遠隔参加したいカラオケルームを選択することができる。このようなカラオケルームの選択は、図６のステップＳ１０５に示されている。
【００５８】
以降、例えば、カラオケ店Ａ虎ノ門店のルーム＃２０２をユーザが選択したものとして説明をする。ステップＳ１０５で所定のカラオケルームが選択されると、当該カラオケルームで取得された映像データ、音声データはステップＳ１０６以降、パーソナルコンピュータ５００に配信され続ける。なお、パーソナルコンピュータ５００のログアウト動作などによって、これら映像データ、音声データの配信は中止される。
【００５９】
図１２は、配信された映像データ、音声データを再生するソフトウエアの動作による画面表示を示すものである。図１２の「現在の  カラオケ店Ａ虎ノ門店  ルーム＃２０２  の様子」の直下の画像が、配信された映像データである。また、音声データの再生には、不図示のパーソナルコンピュータ５００付属のスピーカーが用いられる。
【００６０】
このように、本発明のカラオケシステムによれば、パーソナルコンピュータ５００や移動体通信端末６００などの情報処理端末などに対して、カラオケルームなどの映像データ、音声データが配信される構成であるので、遠隔地にいながらにしてカラオケルームの雰囲気を味わうことができる。
【００６１】
さて、上記のように映像データ、音声データの配信を受けているパーソナルコンピュー
タ５００は、当該カラオケルームのコマンダ３００などに、ホストサーバ１００を介して所定のデータを送信することができるようになっている。
【００６２】
ステップＳ１０７では、パーソナルコンピュータ５００からメッセージ表示要求とメッセージを構成する「テキストデータ」が送信されている。このようなステップを実行するためのユーザインターフェイスが、図１２の（１）で示されるものである。ユーザはテキストボックスに「すごいっ！！うまいっ！！うますぎる。」などを入力し、「送信する」のボタンをポインティングデバイス（不図示）でクリックすることによって、ステップＳ１０７を実行することができるように構成される。
【００６３】
ホストサーバ１００は、このようなメッセージ表示要求があると、次のステップＳ１０８に示すように、テキスト表示コマンドとテキストデータとを、コマンダ３００に対して発信する。これを受けてコマンダ３００は、表示制御部・画像合成部３０７で当該テキストデータを画像合成して、ディスプレイ４５０に表示する（ステップＳ１０９）。図１３は本発明の実施の形態に係るカラオケシステムのディスプレイ４５０における画面表示例を示す図である。当該画面表示例の上部に示される「すごいっ！！うまいっ！！うますぎる。」がこのようなテキストデータ表示に相当する。なお、このようなテキストデータ表示は、適当な時間―例えば、１０秒間程度―をもって終了させる。
【００６４】
上記の例では、該当するカラオケルームのコマンダ３００に、パーソナルコンピュータ５００からテキストデータを送信することについて説明したが、本発明のカラオケシステムでは、効果音を再生したり、効果映像を表示したりすることを実行させるコマンドを送信することも可能である。
【００６５】
ステップＳ１１１０では、パーソナルコンピュータ５００から効果音再生要求と効果音コードが送信されている。このようなステップを実行するためのユーザインターフェイスが、図１２の（２）で示されるものである。ユーザは、効果音の種類から例えば「拍手喝采」などを選択し、「送信する」のボタンをポインティングデバイス（不図示）でクリックすることによって、ステップＳ１１０を実行することができるように構成される。なお、ユーザインターフェイスにおいて、「拍手喝采」を選択することは、内部処理的には効果音コードを選択することに相当している。
【００６６】
ホストサーバ１００は、このような効果音再生要求があると、次のステップＳ１１１に示すように、効果音再生コマンドと効果音コードとを、コマンダ３００に対して発信する。これを受けてコマンダ３００は、効果音・効果映像ＤＢ３４０から当該効果音コードに対応する効果音データを、ミキサ部３３０でミキシングさせて、スピーカー４０１で再生する（ステップＳ１１２）。なお、このような効果音の再生は、適当な時間―例えば、数秒間程度―をもって終了させる。
【００６７】
また、ステップＳ１１３では、パーソナルコンピュータ５００から効果映像表示要求と効果映像コードが送信されている。このようなステップを実行するためのユーザインターフェイスが、図１２の（３）で示されるものである。ユーザは、効果映像の種類から例えば「一等賞の画像」を選択し、「送信する」のボタンをポインティングデバイス（不図示）でクリックすることによって、ステップＳ１１３を実行することができるように構成される。なお、ユーザインターフェイスにおいて、「一等賞の画像」を選択することは、内部処理的には効果映像コードを選択することに相当している。
【００６８】
ホストサーバ１００は、このような効果映像表示要求があると、次のステップＳ１１４に示すように、効果映像表示コマンドと効果映像コードとを、コマンダ３００に対して送信する。これを受けてコマンダ３００は、効果音・効果映像ＤＢ３４０から当該効果映像
コードに対応する効果映像データを、表示制御部・画像合成部３０７で画像合成して、ディスプレイ４５０に表示する（ステップＳ１１５）。図１３は本発明のカラオケシステムのディスプレイ４５０における画面表示例を示す図であるが、当該画面表示例の右部に示される「一等賞の画像」がこのような効果映像表示に相当する。なお、このような効果映像表示は、適当な時間―例えば、１０秒間程度―をもって終了させる。
【００６９】
以上のように、本発明のカラオケシステムによれば、パーソナルコンピュータ５００や移動体通信端末６００などの情報処理端末から、効果映像表示コマンドや効果音再生コマンドなどをコマンダ３００に送信する構成であるので、遠隔地にいながらにして適宜カラオケルームの場に参加しているような感覚を味わうことが可能となる。
【００７０】
なお、本実施形態においては、ホストサーバ１００経由で、コマンダ３００にメッセージのテキストデータやコマンドを送信するように構成しているが、情報処理端末から直接コマンダ３００に送信するようにも構成可能である。ただ、この場合、セキュリティーに配慮する必要があることは言うまでもない。
【００７１】
また、本実施形態においては、コマンダ３００側に、効果音・効果映像ＤＢ３４０を持たせて、コマンド＋コードによって効果音・効果映像ＤＢ３４０に保存された音声データや映像データを呼び出すように構成しているが、コマンダ３００で再生する音声データや表示する映像データをホストサーバ１００から送信するようにしてもよい。或いは、上記音声データや映像データを情報処理端末から送信するようにしてもよい。ただ、効果音・効果映像ＤＢ３４０を本実施形態のようにコマンダ３００側に設けるようにしておけば、通信網５０で、音声・映像データを送受信する必要がなく、通信網のトラフィックの混雑などを回避することが可能である。
【図面の簡単な説明】
【００７２】
【図１】本発明の実施の形態に係るカラオケシステムの全体構成を示す図である。
【図２】本発明の実施の形態に係るカラオケシステムの運用形態イメージを示す図である。
【図３】本発明の実施の形態に係るカラオケシステムで用いられるコマンダ及びその周辺のブロック構成を示す図である。
【図４】本発明の実施の形態に係るカラオケシステムで用いられるリモコン端末のブロック構成を示す図である。
【図５】本発明の実施の形態に係るカラオケシステムの効果音・効果映像ＤＢ３４０におけるデータ構造例を示す図である。
【図６】本発明の実施の形態に係るカラオケシステムが提供する遠隔参加処理の流れの一例を示す図である。
【図７】本発明の実施の形態に係るカラオケシステムで用いられるリモコン端末におけるタッチパネル部・表示部のユーザインターフェイス画面例を示す図である。
【図８】本発明の実施の形態に係るカラオケシステムで用いられるリモコン端末におけるタッチパネル部・表示部のユーザインターフェイス画面例を示す図である。
【図９】本発明の実施の形態に係るカラオケシステムで用いられるリモコン端末におけるタッチパネル部・表示部のユーザインターフェイス画面例を示す図である。
【図１０】情報処理端末における画面表示例を示す図である。
【図１１】情報処理端末における画面表示例を示す図である。
【図１２】情報処理端末における画面表示例を示す図である。
【図１３】本発明の実施の形態に係るカラオケシステムのディスプレイ４５０における画面表示例を示す図である。
【符号の説明】
【００７３】
５０、５０’・・・通信網、５１・・・基地局、６０・・・ルータ、７０・・・無線ＬＡＮアクセスポイント、１００・・・ホストサーバ、２００、２００'、２００''、２００'''、２００''''・・・リモコン端末、２０１・・・バス、２０２・・・中央演算部、２０３・・・記憶部、２０４・・・タッチパネル部、２０５・・・表示部、２０６・・・第１通信部、２０７・・・第２通信部、２０８・・・生体認証部、３００、３００'、３００''、３００'''・・・コマンダ、３０１・・・バス、３０２・・・中央演算部、３０３・・・記憶部、３０４・・・第４通信部、３０５・・・第３通信部、３０６・・・入力部、３０７・・・表示制御部・画像合成部、３１０・・・音源部、３１１・・・入力制御部、３３０・・・ミキサ部、３４０・・・効果音・効果映像ＤＢ、４００・・・アンプ、４０１・・・スピーカー、４０２・・・マイクロフォン、４５０・・・ディスプレイ、４６０・・・カメラ
【図１】
2010060627.tif 000003
【図２】
2010060627.tif 000004
【図３】
2010060627.tif 000005
【図４】
2010060627.tif 000006
【図５】
2010060627.tif 000007
【図６】
2010060627.tif 000008
【図７】
2010060627.tif 000009
【図８】
2010060627.tif 000010
【図９】
2010060627.tif 000011
【図１０】
2010060627.tif 000012
【図１１】
2010060627.tif 000013
【図１２】
2010060627.tif 000014
【図１３】
2010060627.tif 000015